(57)【特許請求の範囲】
【請求項１】
少なくとも一つの非接触電力受信装置へ非接触で電力を送信する送信回路部と、
前記非接触電力受信装置を収納する複数の収納ポケットと、
前記収納ポケットへの物体の挿入を検知する収納検知部と、
前記収納ポケットへ挿入された物体が電力の送信対象である非接触電力受信装置か否かを判定する出力検出部と、
前記送信回路部での電力の送信を制御する送信制御部とを備え、
前記送信回路部は、前記各々の収納ポケットに対応した励振素子と共鳴素子とを各々有し、前記送信制御部の制御によって、前記送信制御部が指定した収納ポケットから電力を送信し、
前記送信制御部は、前記収納検知部で物体の挿入を検知した場合に、該当する収納ポケットに挿入された物体が電力の送信対象であるかあるか否かを判定するときに、該当する収納ポケットの送信回路部にのみ電力を送信するように指示し、その他の収納ポケットの送信回路部には、電力の送電を停止する指示をし、前記出力検出部からの情報により、該物体が電力の送信対象である非接触電力受信装置か否かを判定し、非接触電力受信装置と判定した場合に、前記送信回路部に該当する収納ポケットから電力を送信するように制御することを特徴とする非接触電力送信装置。
【請求項２】
前記非接触電力受信装置は、
受信する受信回路部と、
前記受信回路部が受信した電力を２次電池に供給し充電する充電回路と、
供給された電力を蓄積する２次電池と、
前記充電回路が２次電池へ電力を供給している間、第一の周期で負荷変調をおこなう負荷変調部とを備え、
前記出力検出部は、前記非接触電力受信装置の負荷変調部の負荷変調により生じる前記送信回路部側での負荷変調の第二の周期を、所定の時間測定し、
前記送信制御部は、前記挿入を検知された物体の収納ポケットに対応する前記送信回路部の前記第二の周期と、前記第一の周期との差を求め、その差が所定の基準値より小さいときには、前記挿入を検知された物体を電力の送信対象であると判定することを特徴とする請求項１記載の非接触電力送信装置。
【請求項３】
前記送信制御部は、前記出力検出部が測定した前記非接触電力送信装置から前記非接触電力受信装置への入射電力量と、前記非接触電力受信装置から前記非接触電力送信装置へ返ってくる反射電力量を取得し、前記入射電力量の前記反射電力量に対する比を伝送率として求め、前記伝送率が所定の基準値より大きいときには、前記挿入を検知された物体を電力の送信対象であると判定することを特徴とする請求項１記載の非接触電力送信装置。
【請求項４】
前記非接触電力受信装置は、
受信する受信回路部と、
前記受信回路部が受信した電力を２次電池に供給し充電する充電回路と、
供給された電力を蓄積する２次電池と、
前記充電回路が２次電池へ電力を供給している間、第一の周期で負荷変調をおこなう負荷変調部とを備え、
前記出力検出部は、前記非接触電力受信装置の負荷変調部の負荷変調により生じる送信回路部側での負荷変調の第二の周期を、所定の時間測定し、
前記送信制御部は、前記電力を送信している前記送信回路部の前記第二の周期と、前記第一の周期との差を求め、その差が所定の基準値より小さくないときには、その送信回路部に対応する収納ポケットに挿入された非接触電力受信装置の充電が完了したと判定し、
その送信回路部の電力送信を停止することを特徴とする請求項１記載の非接触電力送信装置。
【請求項５】
前記送信制御部は、前記出力検出部が測定した前記非接触電力送信装置から前記非接触電力受信装置への入射電力量と、前記非接触電力受信装置から前記非接触電力送信装置へ返ってくる反射電力量を取得し、前記入射電力量の前記反射電力量に対する比を伝送率として求め、前記伝送率が所定の基準値より大きくないときには、その送信回路部に対応する収納ポケットに挿入された非接触電力受信装置の充電が完了したと判定し、その送信回路部の電力送信を停止することを特徴とする請求項１記載の非接触電力送信装置。
【請求項６】
非接触電力送信装置と少なくとも一つ以上の非接触電力受信装置に、非接触により電力を非接触電力伝送システムにおいて、
前記非接触電力送信装置は、
少なくとも一つの非接触電力受信装置へ非接触で電力を送信する送信回路部と、
前記非接触電力受信装置を収納する複数の収納ポケットと、
前記収納ポケットへの物体の挿入を検知する収納検知部と、
前記収納ポケットへ挿入された物体が電力の送信対象である非接触電力受信装置か否かを判定し、前記非接触電力受信装置の充電状態を検出する出力検出部と、
前記送信回路部での電力の送信を制御する送信制御部と、
前記非接触電力受信装置の充電状態を表示する表示部とを備え、
前記送信回路部は、前記各々の収納ポケットに対応した励振素子と共鳴素子とを各々有し、前記送信制御部の制御によって、前記送信制御部が指定した収納ポケットから電力を送信し、
前記送信制御部は、前記収納検知部で物体の挿入を検知した場合に、該当する収納ポケットに挿入された物体が電力の送信対象であるか否かを判定するときに、該当する収納ポケットの送信回路部にのみ電力を送信するように指示し、その他の収納ポケットの送信回路部には、電力の送電を停止する指示をし、前記出力検出部により、該物体が電力の送信対象である非接触電力受信装置か否かを判定し、非接触電力受信装置と判定した場合に、
前記送信回路部に該当する収納ポケットから電力を送信するように制御し、
前記送信制御部は、前記出力検出部からの充電状態を受け取って、前記表示部に収納ポケットにおける非接触電力受信装置での充電状態を表示させることを特徴とする非接触電力伝送システム。
【請求項７】
前記非接触電力受信装置は、
受信する受信回路部と、
前記受信回路部が受信した電力を２次電池に供給し充電する充電回路と、
供給された電力を蓄積する２次電池と、
前記充電回路が２次電池へ電力を供給している間、第一の周期で負荷変調をおこなう負荷変調部とを備え、
前記出力検出部は、前記非接触電力受信装置の負荷変調部の負荷変調により生じる前記送信回路部側での負荷変調の第二の周期を、所定の時間測定し、
前記送信制御部は、前記挿入を検知された物体の収納ポケットに対応する前記送信回路部の前記第二の周期と、前記第一の周期との差を求め、その差が所定の基準値より小さいときには、前記挿入を検知された物体を電力の送信対象であると判定することを特徴とする請求項６記載の非接触電力伝送システム。
【請求項８】
前記送信制御部は、前記出力検出部が測定した前記非接触電力送信装置から前記非接触電力受信装置への入射電力量と、前記非接触電力受信装置から前記非接触電力送信装置へ返ってくる反射電力量を取得し、前記入射電力量の前記反射電力量に対する比を伝送率として求め、前記伝送率が所定の基準値より大きくないときには、その送信回路部に対応する収納ポケットに挿入された非接触電力受信装置の充電が完了したと判定し、その送信回路部の電力送信を停止することを特徴とする請求項６記載の非接触電力伝送システム。
【請求項９】
３Ｄ映像を受信して再生するデジタルテレビと、前記３Ｄ映像の再生時に視聴に用いる３Ｄメガネとからなるデジタルテレビシステムにおいて、
前記デジタルテレビは、
映像信号受信・再生部と、
前記３Ｄメガネに非接触で電力を送信する非接触電力伝送部とを有し、
前記映像信号受信・再生部は、
制御部と、
収納ポケットの状態と、前記３Ｄメガネの充電状態とを表示する表示部とを備え、
前記非接触電力伝送部は、
少なくとも一つの３Ｄメガネへ非接触で電力を送信する送信回路部と、
前記３Ｄメガネを収納する複数の収納ポケットと、
前記収納ポケットへの物体の挿入を検知する収納検知部と、
前記収納ポケットへ挿入された物体が電力の送信対象である３Ｄメガネか否かを判定し、前記３Ｄメガネの充電状態を検出する出力検出部と、
前記送信回路部での電力の送信を制御する送信制御部とを備え、
前記送信回路部は、前記各々の収納ポケットに対応した励振素子と共鳴素子とを各々有し、前記送信制御部の制御によって、前記送信制御部が指定した収納ポケットから電力を送信し、
前記送信制御部は、前記収納検知部で物体の挿入を検知した場合に、該当する収納ポケットに挿入された物体が電力の送信対象であるか否かを判定するときに、該当する収納ポケットの送信回路部にのみ電力を送信するように指示し、その他の収納ポケットの送信回路部には、電力の送電を停止する指示をし、前記出力検出部により、該物体が電力の送信対象である３Ｄメガネか否かを判定し、３Ｄメガネと判定した場合に、前記送信回路部に該当する収納ポケットから電力を送信するように制御し、
前記制御部は、受信した映像が３Ｄ映像か否かを判定し、受信した映像が３Ｄ映像であると判定したときに、前記表示部に、前記収納ポケットの状態と、前記３Ｄメガネの充電
状態とを表示させることを特徴とするデジタルテレビシステム。
【発明の詳細な説明】
【技術分野】
【０００１】
本発明は、非接触電力送信装置、および、非接触電力伝送システムに係り、特に、デジタルテレビに使われる３Ｄメガネなどの充電に用いて、充電される機器を小型化するのに好適な非接触電力送信装置、および、非接触電力伝送システムに関する。
【背景技術】
【０００２】
現今では、携帯端末、カメラやパソコンなどの携帯電子機器において、充電池を備えて、充電して使用する機器が普及している。これら電子機器は、ＡＣアダプタと呼ばれる充電器により、家庭用の交流電源を直流に変換し、電子機器に内蔵されている充電回路を利用し、電子機器内の充電池を充電する。
【０００３】
また、新しい分野では、３Ｄテレビの３Ｄ映像信号と同期して動作するアクティブシャッター方式の３Ｄメガネがある。この３Ｄメガネは、ＴＶからの同期信号と同期して、３Ｄメガネの液晶のシャッタを開閉し、右眼レンズで、右眼用の映像信号を受け取り、左眼レンズで、左眼用の映像信号を受け取ることにより、立体感を得るものであり、液晶のシャッターを開閉するために電源が必要であり、充電して使用する。
【０００４】
しかしながら、このような従来の充電のやり方では、ユーザにとって、携帯電子機器のコネクタにＡＣアダプタを抜き差しする手間がわずらわしく、コネクタ部分の損傷がおきやすい。しかも、携帯電子機器毎に電気規格が異なるため、携帯電子機器毎にＡＣアダプタを用意しなければならず、コンセントの周りには、様々なＡＣアダプタがあれれる状態になり管理がわずらわしくなるという問題があった。
【０００５】
このような問題点を回避するために、非接触充電（非接触電力伝送）と呼ばれる充電方式が知られている。非接触充電では、電磁誘導作用を利用してワイヤレスで、電源側の電力送信装置と、充電を受ける電力受信装置では、電気的な金属接点やコネクタを介さずに、充電を受けることができる。
【０００６】
非接触充電をおこなう場合には、電力送信側で充電機器を判定して、誤作動をおこさないようにしたり、最適な充電条件で充電されるようにするのが望ましい。
【０００７】
そのために、例えば、特許文献１には、携帯電話やデジタルカメラなどの非充電機器側と、充電装置側の各々に通信部を設け、充電装置が非充電機器と通信をおこなうことにより、機器を特定し、最適な充電条件で充電をおこなうことが可能になる。
【先行技術文献】
【特許文献】
【０００８】
【特許文献１】特開２０１０‐１７８４９８号公報
【発明の概要】
【発明が解決しようとする課題】
【０００９】
上記従来技術に係る特許文献１では、被充電機器を特定するために被充電機器と通信するため被充電機器は通信部を備える必要があり、また、通信部は、電源制御に必要なデータを送信するための通信制御部を備える必要があるという問題点があった。しかしながら、機器の小型軽量化や低価格化のために構造を簡易化するという観点からは、充電処理のための通信部や制御部を備えることは望ましくない。
【００１０】
特に、上記のアクティブシャッター方式の３Ｄメガネでは、一台のＴＶに対して複数の視聴者がいる場合には、複数用意する必要があること、また、偏光方式の３Ｄメガネと比べて、アクティブシャッター方式の３Ｄメガネは、構造が複雑になり勝ちであることから、構造の簡易化の要請は、より強いものがある。
【００１１】
本発明は、上記問題点を解決するためになされたもので、その目的は、非接触で機器の充電をおこなう非接触電力伝送システムにおいて、充電をおこなう電源側の機器で、非充電機器の判定をして、電源制御をおこなうことができ、しかも、非充電機器の構造を簡易にし、小型化、軽量化に資することができる非接触電力伝送システムを提供することにある。
【課題を解決するための手段】
【００１２】
本発明の構成に係る非接触電力伝送システムは、非接触電力送信装置と、少なくとも一つ以上の非接触電力受信装置からなるシステムである。例えば、非接触電力送信装置は、３Ｄ映像を表示可能なデジタルテレビであり、非接触電力受信装置は、そのデジタルテレビで、３Ｄ映像を視聴するときのアクティブシャッター方式の３Ｄメガネである。
【００１３】
非接触電力送信装置は、少なくとも一つの非接触電力受信装置へ非接触で電力を送信する送信回路部と、非接触電力受信装置を収納する一つ以上の収納ポケットと、収納ポケットへの物体の挿入を検知する収納検知部と、収納ポケットへ挿入された物体が電力の送信対象である非接触電力受信装置か否かを判定する出力検出部と、送電回路部での電力の送信を制御する送信制御部とを備え、送信回路部は、各々の収納ポケットに対応した励振素子と共鳴素子とを各々有し、送信制御部の制御によって、送信制御部が指定した収納ポケットから電力を送信する装置である。
【００１４】
送信制御部は、収納検知部で物体の挿入を検知した場合に、出力検出部により、該物体が電力の送信対象である非接触電力受信装置か否かを判定し、非接触電力受信装置と判定した場合に、送信回路部に該当する収納ポケットから電力を送信するように制御するようにする。
【００１５】
その際には、該当する収納ポケットの送信回路部にのみ電力を送信するように指示し、その他の収納ポケットの送信回路部には、電力の送電を停止する指示をする。
【００１６】
該物体が電力の送信対象である非接触電力受信装置か否かを判定する方法には、出力検出部が、非接触電力受信装置の負荷変調部の負荷変調により生じる送信回路部側での負荷変調の第二の周期を、所定の時間測定し、送信制御部が、挿入を検知された物体の収納ポケットに対応する送信回路部の第二の周期と、負荷変調部の第一の周期との差を求め、その差が所定の基準値より小さいときには、前記挿入を検知された物体を電力の送信対象であると判定する方法がある。
【００１７】
また、送信制御部が、出力検出部が測定した非接触電力送信装置から非接触電力受信装置への入射電力量と、非接触電力受信装置から非接触電力送信装置へ返ってくる反射電力量を取得し、入射電力量の反射電力量に対する比を伝送率として求め、伝送率を所定の基準値より大きいときには、前記挿入を検知された物体を電力の送信対象であると判定する方法がある。
【００１８】
また、送信制御部が、出力検出部が各々の収納ポケットに挿入された非接触電力送信装置の充電状態を所得し、それに基づいて、送信回路部の電力送信を制御する。
【００１９】
このとき、前記送信制御部は、該当する収納ポケットの送信回路部にのみ電力を送信するように指示し、その他の収納ポケットの送信回路部には、電力の送電を停止する指示をする
非接触電力送信装置の充電状態に基づいて、送信回路部の電力送信を制御する方法には、送信制御部が、電力を送信している指示している送信回路部の負荷変調の第二の周期と、非接触電力受信装置の負荷変調の第一の周期との差を求め、その差が所定の基準値より小さくないときには、その送信回路部に対応する収納ポケットに挿入された非接触電力受信装置の充電が完了したと判定し、その送信回路部の電力送信を停止する方法がある。
【００２０】
また、送信制御部が、出力検出部が測定した非接触電力送信装置から非接触電力受信装置への入射電力量と、非接触電力受信装置から非接触電力送信装置へ返ってくる反射電力量を取得し、入射電力量の反射電力量に対する比を伝送率として求め、伝送率が所定の基準値より大きくないときには、その送信回路部に対応する収納ポケットに挿入された非接触電力受信装置の充電が完了したと判定し、その送信回路部の電力送信を停止する方法がある。
【発明の効果】
【００２１】
本発明によれば、非接触で機器の充電をおこなう非接触電力伝送システムにおいて、充電をおこなう電源側の機器で、非充電機器の判定をして、電源制御をおこなうことができ、しかも、非充電機器の構造を簡易にし、小型化、軽量化に資することができる非接触電力伝送システムを提供することができる。
【図面の簡単な説明】
【００２２】
【図１】本発明の第一の実施形態に係る非接触電力伝送システムの構成のイメージを示す図である。
【図２】本発明の第一の実施形態に係る非接触電力伝送システムの各部の構成を示すブロック図である。
【図３】出力検出部２１３の構成を示すブロック図である。
【図４】デジタルテレビ１の送信回路部２１４と３Ｄメガネ２の受信回路部２５１の構成を示すブロック図である。
【図５】送電管理テーブルの一例を示す図である。
【図６】非接触電力送信部１０が電力送信を開始するとき処理を示すフローチャートである。
【図７】送電対象装置の判定処理を示すフローチャートである。
【図８】充電完了検出の処理を示すフローチャートである。
【図９】第一の実施形態において、充電状態の判定処理を示すフローチャートである。
【図１０】負荷変調周期Ｔを算出するために、出力検出部２１３が出力する電圧値の信号波形を示した図である。
【図１１】収納ポケットからの装置の取出しを検出する処理を示すフローチャートである。
【図１２】非接触電力送信部１０における異常温度を検出するときの処理を示すフローチャートである。
【図１３】第二の実施形態において、充電状態の判定処理を示すフローチャートである。
【図１４】本発明の第二の実施形態に係る非接触電力伝送システムの各部の構成を示すブロック図である。
【図１５】充電状態をユーザに表示する画面の例を示す図である。
【図１６】３Ｄ映像の受信に応じて、表示部に３Ｄメガネの状態を表示する映像信号受信・再生部２２０の処理を示すフローチャートである。
【図１７】デジタルテレビの３Ｄ映像表示時に、３Ｄメガネの充電状態をユーザに提示する画面の一例を示す図である。
【発明を実施するための形態】
【００２３】
以下、本発明に係る各実施形態を、図１ないし図１７を用いて説明する。
【００２４】
〔実施形態１〕
以下、図１ないし図１２を用いて本発明の第一の実施形態に係る非接触電力伝送システムについて説明する。
【００２５】
本実施形態では、非接触電力送信装置としては、３Ｄコンテンツを表示可能なデジタルテレビ（ＤＴＶ：Digital Television）、非接触電力受信装置としては、デジタルテレビから同期信号を受信して、それと同期し左右レンズの液晶シャッタの開閉をおこなうアクティブシャッター方式の３Ｄメガネからなる非接触電力送信システムを例に採り説明する。そして、特に、非充電対象となる非接触電力受信装置である３Ｄメガネは、複数あることを前提としている。
【００２６】
先ず、図１および図２を用いて本発明の第一の実施形態に係る非接触電力伝送システムの構成について説明する。
図１は、本発明の第一の実施形態に係る非接触電力伝送システムの構成のイメージを示す図である。
図２は、本発明の第一の実施形態に係る非接触電力伝送システムの各部の構成を示すブロック図である。
【００２７】
本実施形態の非接触電力送信システムは、図１に示されるように、非接触電力送信装置として、３Ｄコンテンツを表示可能なデジタルテレビ１と、非接触電力受信装置として、３Ｄメガネ２，３，４からなる。
【００２８】
また、別の非接触電力受信装置の例としては、ワイヤレスヘッドホンやマイクなどの例も考えられる。
【００２９】
デジタルテレビ１の非接触電力送信部１０は、複数の３Ｄメガネを収納する収納ポケット１１，１２，１３，１４を備えている。本実施形態では、四つの収納ポケットを備える場合を一例として示している。非接触電力送信部１０は、デジタルテレビ１の背面へ収納可能であり、図１では、非接触電力送信部１０を引き出している状態を示している。また、視聴に使用しない３Ｄメガネ３，４は、図１に示されるように、各々収納ポケット１１，１２に収納される。
【００３０】
このように、デジタルテレビ１は、非接触で電力を送信し３Ｄメガネ２，３，４を充電する機能と、３Ｄメガネ２，３，４を収納する機能を兼ね備えることができる非接触電力送信部１０を有している。
【００３１】
デジタルテレビ１は、図２に示されるように、非接触電力送信部１０、電源供給部２０１、電源回路部２０２、映像信号受信・再生部２２０からなる。
【００３２】
非接触電力送信部１０は、収納ポケットへ３Ｄメガネ２が収納されたことを検知し、３Ｄメガネ２に電力を送信する部分であり、電源回路部２０２から送られる電力により駆動される。
【００３３】
非接触電力送信部１０は、図２に示されるように、発振回路部２１１、増幅回路部２１２、出力検出部２１３、送信回路部２１４、送電制御部２１５、収納検知部２１６、状態表示部２１７で構成する。
【００３４】
発振回路部２１１は、電力を伝送する電力伝送信号を所望の周波数で発信させる部分である。発振回路部２１１の出力は、増幅回路部２１２に送られる。この発振回路部２１１における発振には、例えば、コルピッツ発振器を用いる。
【００３５】
増幅回路部２１２は、発振回路部２１１から出力された電力を増幅する部分である。増幅回路部２１２の出力は、出力検出部２１３を介して送信回路部２１４に送られ、送信回路部２１４に送信電力を供給する。
【００３６】
出力検出部２１３は、非接触電力送信部１０における電力の出力状態を検出する部分である。この出力検出部２１３の詳細については、後述する。
【００３７】
送信回路部２１４は、増幅回路部２１２から供給された電力から磁界を発生させることにより、３Ｄメガネ２に電力を送信する。この送信回路部２１４の詳細については、後述する。
【００３８】
送電制御部２１５は、非接触電力送信部１０を構成する各部を制御する部分である。出力検出部２１３で検出した電力量から、収納ポケットに収納された物体が電力の送信対象である３Ｄメガネ２であるか否かの判断や、３Ｄメガネ２への充電が完了したか否かの判断をするなど、非接触電力送信部１０全体の動作を制御する。
【００３９】
収納検知部２１６は、収納ポケットへの物体の挿入や取り出しを検知する部分である。この収納検知部２１６では、それぞれの収納ポケットに対して、個別に物体の挿入や取り出しを検知し、送電制御部２１５にその情報を出力する。検知の方法は、例えば挿入された場合に、その重さでオフ状態からオン状態に遷移するプッシュスイッチを用いる。各収納ポケットへプッシュスイッチを配置し、個別に挿入や取り出しを検知できるように構成する。また、赤外線センサなどの手段により、収納を検知するようにしてもよい。
【００４０】
状態表示部２１７は、送電制御部２１５の制御により、収納ポケットに挿入された３Ｄメガネ２への電力伝送の状況などをユーザに表示して知らせる。状態の表示は、例えば、発光ダイオード（ＬＥＤ）の発光状態や発光色で表現する。このときには、それぞれの収納ポケットに対して、個別に状態を表示するようにする。
【００４１】
電源供給部２０１は、デジタルテレビ１が動作するための電力を提供する電源となる部分である。例えば、商用電源による交流電源や太陽光発電により得られる直流電源などがある。
【００４２】
電源回路部２０２は、電源供給部２０１から供給された電力からデジタルテレビ１の各部を駆動するための電力を生成する。電源供給部２０１から供給された電力が交流電源の場合は、整流、平滑化し直流電圧にした後、所定の電圧に変換して各部に送る。直流電源の場合は、整流、平滑化は不要となる。電源回路部２０２から非接触電力送信部１０と映像信号受信・再生部２２０への電源供給は、それぞれ独立に制御される。リモコン操作などで映像信号受信・再生部２２０の電源がオフされた場合においても、非接触電力送信部１０には電力が供給され、送電可能な状態が保持される。非接触電力送信部１０が送電中でない場合は、収納検知部２１６にだけに電力が供給され、収納ポケットへの物体の挿入の検知をトリガに非接触電力送信部１０全体に電力を供給するよう制御してもよい。この場合、映像信号受信・再生部２２０の電源がオフでも送電は継続され、かつ、待機時の電力量を少なくする効果がある。
【００４３】
映像信号受信・再生部２２０は、デジタルテレビ１のデジタルテレビとしての機能を実現する。映像信号受信・再生部２２０も電源回路部２０２から送られる電力により駆動される。
【００４４】
映像信号受信・再生部２２０は、図２に示されるように、チューナ部２２１、復調復号部２２２、デマックス部２２３、デコード部２２４、音声出力部２２５、合成部２２６、映像表示部２２７、ネットワーク接続部２２８、操作Ｉ／Ｆ部２２９、制御部２３０、ＯＳＤ部２３１、メモリ部２３２、同期送信部２３３、アンテナ接続端子２３５、ネットワーク端子２３６、操作機器信号受信部２３７、外部入力端子２３８、外部入力Ｉ／Ｆ部２３９、スイッチ２４０、２４１で構成する。
【００４５】
チューナ部２２１は、アンテナ接続端子２３５を介してデジタル放送波が入力して、選局をおこなう部分である。チューナ部２２１は、受信すべきチャンネルのチャンネル周波数帯を抽出して、抽出した信号を直交復調によりベースバンド信号として、復調復号部２２２に出力する。
【００４６】
復調復号部２２２は、ベースバンド信号に対して、同期復調をおこない、デジタル放送信号を復号する部分である。この復調復号部２２２では、例えば、８ＰＳＫ（Phase Shift Keying）を用いた同期復調をおこない、ビタビ復号やＲＳ（リード・ソロモン）復号などの誤り訂正を施し、デジタル放送信号を復号してデマックス部２２３に出力する。ここでは、デジタル放送信号として、ＭＰＥＧ（Moving Picture Experts Groupe）方式によって圧縮符号化され、ＴＳ（Transport Stream）方式で多重化されたＭＰＥＧ２−ＴＳを扱う場合について説明する。
【００４７】
デマックス部２２３は、多重化されたＭＰＥＧ２−ＴＳから後段で使われる信号を分離・抽出する部分である。デマックス部２２３では、デマックス部２２３は、多重化されたＭＰＥＧ２−ＴＳから後段で使われる信号を分離・抽出し、放送番組などコンテンツを構成する映像信号や音声信号や字幕の信号ストリームであるＰＥＳ（Packetized Elementary Stream）あるいはＥＳ（Elementary Stream）やデータ放送などのデータをデコード部２２４へ出力する。
【００４８】
デコード部２２４は、デマックス部２０３で分離・抽出された音声信号のＰＥＳあるいはＥＳをデコードし音声出力部２２５へ出力する部分である。また、デコード部２２４は、映像信号のＰＥＳあるいはＥＳをデコードし合成部２２６へ出力する。
【００４９】
音声出力部２２５は、スピーカなどであり、デコード部２２４でデコードされた音声信号を音として出力する部分である。
【００５０】
合成部２２６は、デコード部２２４、ＯＳＤ部２３１から入力された信号を合成して表示画面を構成し、映像表示部２２７へ出力する部分である。
【００５１】
映像表示部２２７は、例えば、液晶ディスプレイなどであり、デコード部２２４でデコードされた映像信号を表示する部分である。
【００５２】
ネットワーク接続部２２８は、通信処理部と伝送コンテンツ保護部を備えネットワーク端子２３６を介して、図示していないネットワークに接続された他の機器やインターネット接続されたサーバーなどとデータやコンテンツの送受信を行う。
【００５３】
操作Ｉ／Ｆ部２２９は、操作機器信号受信部２３７を介して図示していない操作装置からの入力信号を受信し、処理する部分である。ここで、操作装置は、例えば、リモコンやマウス、キーボード、タッチパネルなどである。操作機器信号受信部２３７は、操作機器の信号を受信する部分であり、赤外線などを用いて無線で操作装置からの入力信号を受信してもよいし、接続端子を介して操作装置を接続し、入力信号を受信してもよい。
【００５４】
制御部２３０は、ＯＳ（Operating System）やアプリケーションの実行処理をおこない、映像信号受信・再生部２２０を機能させるために各部の制御をおこなう部分である。
【００５５】
ＯＳＤ部２３１は、制御部２３０の制御に従い、アプリケーションのユーザインターフェースの画面などを生成し、合成部２２６へ出力する部分である。
【００５６】
メモリ部２３２は、プログラムやデータを格納する部分である。メモリ部２３２は、揮発性メモリおよび不揮発性メモリで構成する。不揮発性メモリには、ＯＳやアプリケーションなどの映像信号受信・再生部２２０を動作させるためのソフトウェアを格納し、揮発性メモリには、ソフトウェアの動作に必要なデータなどを一時的に格納する。
【００５７】
同期送信部２３３は、３Ｄコンテンツを再生する場合に、アクティブシャッター方式３Ｄメガネの液晶シャッタを制御する同期信号を生成し出力する部分である。同期信号は、赤外線などを用いて出力される。
【００５８】
外部入力端子２３８は、レーコーダーやプレーヤー、ＳＴＢ（Set Top Box）などの外部装置を接続する端子である。この外部入力端子２３８には、図示していない外部装置から非圧縮の映像・音声信号、または、圧縮された映像・音声信号や制御信号などが入力される。制御信号は、外部装置から入力される他、外部装置に出力することも可能である。外部入力端子２３８の一例として、ＨＤＭＩ(High-Definition Multimedia Interface（登録商標）)規格や、ＤｉｓｐｌａｙＰｏｒｔ（登録商標）規格の端子がある。入力された信号は、外部入力Ｉ／Ｆ部２３９に出力される。そして、映像・音声信号は、外部入力Ｉ／Ｆ部２３９からスイッチ２４０、２４１を介して映像表示部２２７、音声出力部２２５に出力されユーザに提供される。
【００５９】
外部入力Ｉ／Ｆ部２３９は、外部入力端子２３８から入力された外部入力信号を受信し、処理する部分である。この外部入力Ｉ／Ｆ部２３９により、映像信号は、スイッチ２４１に出力され、音声信号は、スイッチ２４０に出力される。制御信号などは、制御部２３０に出力される。
【００６０】
スイッチ２４０は、音声出力部２５５に入力する音声信号を切換えるスイッチである。外部入力Ｉ／Ｆ部２３９から入力された音声信号と、デコード部２２４でデーコードされた音声信号とを切り替える。
【００６１】
スイッチ２４１は、映像表示部２２７に入力する映像信号を切換えるスイッチである。外部入力Ｉ／Ｆ部２３９から入力された映像信号と、デコード部２２４でデーコードされた映像信号とを切替える。スイッチ２４０、２４１の切替えは、制御部２３０が制御する。
【００６２】
３Ｄメガネ２は、図２に示されるように、非接触電力受信部２５０、光学動作部２６０で構成する。
【００６３】
非接触電力受信部２５０は、デジタルテレビ１から送信される電力を受信し、光学動作部２６０を駆動する電源を供給する部分である。
【００６４】
この非接触電力受信部２５０は、受信回路部２５１、充電回路部２５２、２次電池２５３、負荷変調部２５４で構成する。
【００６５】
受信回路部２５１は、非接触電力送信部１０より受信した電力を、充電回路部２５２に出力する部分である。受信回路部２５１の詳細については、後述する。
【００６６】
充電回路部２５２は、受信回路部２５１から供給された直流電圧を用いて２次電池２５３を充電する部分である。また、２次電池２５３が満充電になったか否かを検知する機能も有する。すなわち、充電回路部２５２は、満充電になった場合には、２次電池２５３への出力を切り過充電されないようにし、２次電池２５３の破損を防ぐようにする。
【００６７】
負荷変調部２５４は、充電回路部２５２が２次電池２５３に電力が供給されている間、所定の周期で負荷変調をかける部分である。これにより、３Ｄメガネ２からデジタルテレビ１における負荷電力の量が変化するため、デジタルテレビ１の出力検出部２１３は３Ｄメガネ２が充電中か、充電が終了したかを検出ことができる。負荷変調による充電状態の検出については、後に詳説する。
【００６８】
２次電池２５３は、光学動作部２６０を駆動する電源である。
【００６９】
光学動作部２６０は、３Ｄコンテンツを表示可能なデジタルテレビ１に表示された３Ｄコンテンツを視聴する機能を提供する部分である。
【００７０】
光学動作部２６０は、同期受信部２６２、復調部２６３、右レンズ部２６４、左レンズ部２６５で構成する。
【００７１】
同期受信部２６２は、液晶シャッターを制御するための同期信号を受信し、復調部２６３に出力する部分である。同期信号は、赤外線などでデジタルテレビ１の同期送信部２３３から出力される。
【００７２】
復調部２６３は、受信した同期信号を復調し、液晶シャッターを制御する信号を生成し右レンズ２６４や左レンズ２６５に出力する部分である。
【００７３】
３Ｄメガネ３、４の構成も３Ｄメガネ２の構成と同様である。
【００７４】
次に、図３および図４を用いて本発明の第一の実施形態に係る非接触電力伝送システムの内で、デジタルテレビ１の非接触電力送信部１０と、３Ｄメガネ間で電力送信に関わる部分を詳細に説明する。
図３は、出力検出部２１３の構成を示すブロック図である。
図４は、デジタルテレビ１の送信回路部２１４と３Ｄメガネ２の受信回路部２５１の構成を示すブロック図である。
【００７５】
非接触電力送信部１０の出力検出部２１３は、図３に示されるように、温度検出部８１１、充電状態検出部８１２、送電対象検出部８１３で構成する。
【００７６】
温度検出部８１１は、増幅回路部２１２の温度を監視し、正常な温度か、高温状態の異常温度かを検出して、結果情報を送電制御部２１５に出力する。
【００７７】
充電状態検出部８１２は、３Ｄメガネ２の充電状態を検出する回路である。充電状態検出部８１２の出力信号は、送電制御部２１５に出力され、送電制御部２１５にて充電状態を判定する。充電状態検出部８１２は、例えば、負荷電圧値が所定の閾値より大きければＨ（Ｈｉ）レベル、閾値以下の場合はＬ（Ｌｏｗ）レベルなどのように、２値の状態に復調する負荷変動復調回路で構成する。この負荷変動復調回路の出力値、Ｈ、Ｌの周期は、３Ｄメガネ２の負荷変調部２５４の負荷変調の周期と関連する値となり、非接触電力送信部１０から３Ｄメガネ２への非接触よる充電の効果が大きいとき（３Ｄメガネ２の２次電池２５３があまり充電されていないとき）には、充電状態検出部８１２から出力される負荷変調の周期と、３Ｄメガネ２の負荷変調部２５４の負荷変調は、近い値になり、非接触電力送信部１０から３Ｄメガネ２への非接触よる充電がされていない（３Ｄメガネ２の２次電池２５３が充電完了のとき）には、、充電状態検出部８１２から出力される負荷変調の振動がなくなった状態になる。充電状態検出部８１２から出力される負荷変調の周期と３Ｄメガネ２の負荷変調部２５４の負荷変調の周期の関係については、後に詳説する。
【００７８】
送電対象検出部８１３は、収納ポケットに挿入された物体が送電対象装置である３Ｄメガネ２であるか、非送電対象装置であるかを検出する回路である。一例として、３Ｄメガネ２へ供給する電力である入射電力量と、供給先から反射された反射電力量を計測し送電制御部２１５に出力する反射量計測回路で構成する。供給先が３Ｄメガネ２の場合は、伝送損失が発生しないように設計されるため反射電力量は小さく、供給先が３Ｄメガネ２以外の物体（非送電対象物）の場合は反射電力量が大きくなる。したがって、送電制御部２１５は、入射電力量と反射量から伝送率＝入射電力量／反射電力量を算出し、伝送率が所定の基準値より大きい場合に供給先が３Ｄメガネ２であると判断する。
【００７９】
接続端子８２１，８２２は、増幅回路部２１２と接続するための端子である。また、接続端子８２３、８２４は、送信回路部２１４と接続するための端子である。
【００８０】
次に、図４によりデジタルテレビ１の非接触電力送信部１０と、３Ｄメガネ２の非接触電力受信部２５０が非接触で電力を送信する部分について説明する。
【００８１】
非接触電力送信部１０の送信回路部２１４は、図４に示されるように、スイッチ部３０１、励振素子３０２，３０３，３０４，３０５、共鳴素子３０６，３０７，３０８，３０９、接続端子３１１，３１２、スイッチ制御端子３１３で構成される。
【００８２】
また、３Ｄメガネ２の非接触電力受信部２５０の受信回路部２５１は、共鳴素子３３１、励振素子３３２、接続端子３３３，３３４で構成される。
【００８３】
送信回路部２１４のスイッチ部３０１は、スイッチ制御端子３１３に入力される制御信号によって制御される。制御信号は、送信制御部２１５が出力し、ａ，ｂ，ｃ，ｄの各スイッチに対して個別にオン（接続）、オフ（切断）を制御することができる。
【００８４】
励振素子３０２，３０３，３０４，３０５は、スイッチ部３０１を介して出力検出部２１３に接続される。各励振素子に接続されたスイッチがオンのとき、発振回路部２１１で発振させ、増幅回路２１２で増幅された交流電流が供給され、共鳴素子に電流を誘起する。図４では、励振素子３０２は共鳴素子３０６と磁気的に結合する。同様に、励振素子３０３は、共鳴素子３０７、励振素子３０４は、共鳴素子３０８、励振素子３０５は、共鳴素子３０９と、それぞれ磁気的に結合する。
【００８５】
３Ｄメガネ２の共鳴素子３３１は、３Ｄメガネ２を収納ポケットに挿入したときに、非接触電力送信部１０の送信回路部２１４の共鳴素子と磁界共鳴の関係となる位置に配置される。例えば、３Ｄメガネ２を収納ポケット１１に挿入した場合は、共鳴素子３３１と共鳴素子３０６が共鳴関係を有するようになる。同様に、３Ｄメガネ２を挿入した収納ポケットに対応して共鳴素子３３１が共鳴関係を持つ共鳴素子が決定する。収納ポケット１２に挿入した場合は、共鳴素子３０７と、収納ポケット１３に挿入した場合は共鳴素子３０８と、収納ポケット１４に挿入した場合は共鳴素子３０９と、それぞれ共鳴関係を有するようになる。
【００８６】
ここでは、図４のように、３Ｄメガネ２を収納ポケット１１に挿入した場合を例に採り説明する。共鳴素子３３１と共鳴素子３０６が共鳴関係を有するようになるため、共振周波数によって共鳴素子３０６へ供給された交流電流により発生した磁界の振動が共鳴素子３３１に伝わり、共鳴素子３３１に交流電流が発生する。共鳴素子３３１と励振素子３３２は磁気的に結合する。そのため、共鳴素子３３１で発生した交流電流によって励振素子３３２に電流が流れ、接続端子３３３，３３４で接続された充電回路２５２に供給される。
【００８７】
励振素子３０２，３０３，３０４，３０５、励振素子３３２、および、共鳴素子３０６，３０７，３０８，３０９、共鳴素子３３１は、具体的には、例えば、電線を巻いた空心コイルで構成する。
【００８８】
次に、図５を用いて非接触電力送信部１０の送電制御部２１５が制御のために用いるデータ構造について説明する。
図５は、送電管理テーブルの一例を示す図である。
【００８９】
送電管理テーブルは、送電制御部２１５が管理し、保持する管理情報を格納するテーブルである。
【００９０】
送電管理テーブルは、図５に示されるように、収納ポケットＮｏ９０１、スイッチＮｏ９０２、収納状態９０３、送電状態９０４、充電状態９０５、送電開始時間９０６などの各フィールドで構成する。送電制御部２１５は、この情報を参照して所望の収納ポケットで送電するためにオンにするスイッチのＮｏを取得し、収納ポケット毎に送電の状態を管理する。
【００９１】
収納ポケットＮｏ９０１は、収納ポケットを識別する識別子を格納するフィールドである。図５の例では、図１で示した各々の収納ポケットの符号が収納ポケットＮｏの値として割り当てられている。
【００９２】
スイッチＮｏ９０２は、収納ポケットに対応する共鳴素子に電流を誘起するスイッチを示すフィールドである。ここでは、“３０１ａ”のように、図４で示したスイッチ部の符号と各スイッチの符号を組み合わせた番号を割り当てるものとする。すなわち、このフィールドの値を参照することにより、収納ポケット１１に送電するには、スイッチＮｏの値が３０１ａなので、スイッチ部３０１のａのスイッチをオンにするようスイッチ部３０１を制御すればよいことがわかる。
【００９３】
収納ポケットＮｏ９０１、スイッチＮｏ９０２は、システムで予め定めた値が割り当てられ、送電制御部２１５によって値が更新されることはない。
【００９４】
収納状態９０３は、収納ポケットへの物体の収納状態を示す値を格納するフィールドである。例えば、何も挿入されていない空の状態は、値“０”、３Ｄメガネ２などの送電対象装置が挿入されている場合は、値“１”、送電対象でない物体である非送電対象物が挿入されている場合は、値“２”と表すものとする。
【００９５】
送電状態９０４は、収納ポケットＮｏで示された収納ポケットでの送電状態を示すフィールドである。例えば、電力を送電していない停止の状態は、値“０”、送電中の状態は、値“１”と表すものとする。
【００９６】
充電状態９０５は、充電状態を示す値を格納するフィールドである。図５では一例として、充電していない停止状態を値“０”、充電中の状態を値“１”、充電が完了した状態を値“２”、充電エラーが発生した状態を値“３”と表す。
【００９７】
送電開始時間９０６は、送電を開始した日時を示すフィールドである。ここでは、ＹＹＹＹＭＭＤＤｈｈ：ｍｍ：ｓｓの書式で記述する。収納ポケットに送電対象の装置が挿入され、送電を開始したときの日時を記録する。その他の場合は、日時とも値を０にクリアする。
【００９８】
この図５の例では、第一レコード９１１により、収納ポケット１１の状態は、３Ｄメガネ３が収納され、送電中で、充電中の状態であることを示しており、第二レコード９１２により、収納ポケット１２は、３Ｄメガネ４が収納され、充電が完了し送電を停止した状態であることを示しており、第三レコード９１３により、収納ポケット１３は、３Ｄメガネ以外の非送電対象物が挿入されているため送電を停止した状態であることを示している。また、収納ポケット１４は、何も挿入されていないので送電を停止した状態であることを示している。
【００９９】
次に、図６ないし図１２を用いて非接触電力送信部１０の処理について説明する。
図６は、非接触電力送信部１０が電力送信を開始するとき処理を示すフローチャートである。
図７は、送電対象装置の判定処理を示すフローチャートである。
図８は、充電完了検出の処理を示すフローチャートである。
図９は、第一の実施形態において、充電状態の判定処理を示すフローチャートである。
図１０は、負荷変調周期Ｔを算出するために、出力検出部２１３が出力する電圧値の信号波形を示した図である。
図１１は、収納ポケットからの装置の取出しを検出する処理を示すフローチャートである。
図１２は、非接触電力送信部１０における異常温度を検出するときの処理を示すフローチャートである。
【０１００】
非接触電力送信部１０の送電制御部２１５は、非接触電力送信部１０を構成する各部を制御しており、以下の電力の送信制御の処理は、送電制御部２１５がおこなう。
【０１０１】
非接触電力送信部１０がおこなうときには、送電制御部２１５は、収納ポケット１１〜１４のいずれかに物体が挿入されたことが検知されたときに、電力送信開始の制御を始める（Ｓ４０１）。各収納ポケット１１〜１４への物体の挿入は、収納検知部２１６で検知し、挿入検知信号を送電制御部２１５に出力する。送電制御部２１５は、挿入検知信号の受信を待ち、挿入検知信号を受信すると、収納ポケットに物体が挿入されたものとして、Ｓ４０２の処理をおこなう。
【０１０２】
挿入検知信号を受信すると、次に、送電制御部２１５は、収納ポケットに挿入された物体が電力の送電対象である送電対象装置であるか否かを判定するため、該当しない物体の挿入を検知した収納ポケットに送電し、それ以外の収納ポケットの送電を停止する（Ｓ４０２）。すなわち、図４に示したスイッチ部３０１を制御して該当の収納ポケットに対応する共鳴素子に電流を誘起するスイッチをオンにし、それ以外の収納ポケットに対応する共鳴素子に対応するスイッチはオフにする。このように、該当する一つの収納ポケットにだけ送電するのは、他の非接触電力受信装置へ電磁気的な影響が出ることを避けるためである。
【０１０３】
次に、送電制御部２１５は、収納ポケットに挿入された物体が電力の送電対象である送電対象装置であるか否かを判定する（Ｓ４０３）。送電対象装置の判定処理については、図７を用いて後に詳述する。
【０１０４】
そして、収納ポケットに挿入された装置が送電対象装置、すなわち、３Ｄメガネ２であった場合には、Ｓ４０５の処理をおこない、そうでない場合には、Ｓ４０７の処理をおこなう。
【０１０５】
収納ポケットに挿入された装置が３Ｄメガネ２と判定されたときには、送電制御部２１５は、送電と送電中の表示を開始する（Ｓ４０５）。具体的には、送電制御部２１５は、該当の収納ポケットに対応する共鳴素子に電流を誘起するようにスイッチ制御信号を生成してスイッチ部３０１を制御する。収納ポケットに対応する共鳴素子に電流を誘起するスイッチの情報は、図５の送電管理テーブルを参照して取得する。送電制御部２１５は、例えば、収納検知部２１６から収納ポケット１１への物体の挿入を検知したことを示す入検知信号を受信した場合は、収納ポケットＮｏ９０１の値“１１”でスイッチＮｏ９０２の値を参照し、オンにすべきスイッチＮｏの値“３０１ａ”を得る（図４参照）。この情報から送電制御部２１５は、スイッチ部３０１のスイッチａをオンにするスイッチ制御信号を出力し、共鳴素子３０６に電流を誘起する。また、送電制御部２１５は、状態表示部２１７を制御しＬＥＤを点灯するなどして、収納ポケット１１で送電中であることを示す表示をさせる。
【０１０６】
次に、送電制御部２１５は、３Ｄメガネ２が挿入された収納ポケットに関して、送電管理テーブルを更新し、更新した送電管理テーブルを送電制御部２１５の有するメモリなどに保存し（Ｓ４０６）、Ｓ４０２で送電を停止した収納ポケットへの送電を再開して（Ｓ４０９）、電力送信開始処理を終了する。送電管理テーブルは、各収納ポケットにおける送電状況を送電制御部２１５が管理するための情報である。図９に示すように、送電管理テーブルとして収納状態９０３、送電状態９０４、充電所状態９０５、送電開始時間９０６を記録する。ここでは、３Ｄメガネ２に送電を開始したところなので、図５の第一レコード９１１に示すように、収納状態９０３には、送電対象装置を収納していることを示す値“１”、送電状態９０４には、送電中であることを示す値“１”、充電所状態９０５には、充電中であることを示す値“１”、送電開始時間９０６には、送電制御部２１５が持つ時計から送電開始日時を取得して、それぞれのフィールドに格納する。
【０１０７】
一方、収納ポケットに挿入されたものが、送電対象装置でない非送電対象物と判断した場合には、送電制御部２１５は、状態表示部２１７を制御し警告を示すＬＥＤを点灯するなどして、収納ポケット１１に非送電対象物が挿入されていることをユーザに示す（Ｓ４０７）。警告と送電中の表示は、点灯するＬＥＤの色や、点滅の速さなどでユーザが区別できるようにする。例えば、送電中は０．５秒間隔の点滅、警告は１秒間隔の点滅などで表現してもよい。ＬＥＤの点滅の速さで表現する場合は、収納ポケット一つあたり一つのＬＥＤで済むため状態表示部２１７を構成する部品の点数を少なくする効果がある。一方、ＬＥＤの色で表現する場合は、例えば、送電中は、“緑”、警告のときには、“赤”で表示する。この場合には、点滅制御が不要であるため、送電制御部２１５の処理が簡単になる。
【０１０８】
そして、送電制御部２１５は、収納ポケットに非送電対象物が挿入されていること示す送電管理テーブルを生成して保存し（Ｓ４０８）、挿入を検知した収納ポケット以外の収納ポケットへの送電を再開して（Ｓ４０９）、電力送信開始処理を終了する。ここでは、図５に示す送電管理テーブルの第三レコード９１３に示すように、収納状態９０３には、非送電対象物を収納していることを示す値“２”、送電状態９０４には、送電していないことを示す値“０”、充電所状態９０５には、充電していないことを示す値”０“、送電開始時間９０６には、値を０クリアして、それぞれのフィールドに格納する。
【０１０９】
次に、図７により、図６のＳ４０３の送電対象装置の判定をする処理について詳細に説明する。
【０１１０】
本実施形態では、送電対象検出部８１３を反射量計測回路で構成して、送電対象検出部８１３から入射電力量と反射電力量の比である伝送率により、送電対象装置の判定をおこなう例について説明する。
【０１１１】
先ず、送電制御部２１５は、送電対象検出部８１３から入射電力量と反射電力量を取得する（Ｓ７０１）。
【０１１２】
次に、送電制御部２１５は、取得した入射電力量と反射電力量から伝送率を算出する（Ｓ７０２）。伝送率は、入射電力量がどれだけ効率よく送電対象に伝送されたかを示す値であり、伝送率＝入射電力量／反射電力量で表わす。本実施形態では、収納ポケットに送電対象装置である３Ｄメガネ２が挿入されているとき伝送率の値が所定の基準値より大きくなるように設計する。すなわち、反射電力量が小さいときには、非接触電力送信部１０から送電対象である３Ｄメガネ２に対して、効率よく電力が伝送されているということを意味する。
【０１１３】
次に、伝送率が、所定の基準値より大きいか否かを判断する（Ｓ７０３）。そして、伝送率＞基準値の場合には、Ｓ７０４の処理をおこない、その他の場合には、Ｓ７０５の処理をおこなう。すなわち、伝送率が、所定の基準値より大きいときには、収納ポケットに挿入された物体は、送電対象装置である３Ｄメガネ２であると判断する（Ｓ７０４）。
【０１１４】
一方、伝送率が、所定の基準値より大きくないときには、収納ポケットに挿入されたものが、送電対象装置でないもの、すなわち、非送電対象物であると判断する（Ｓ７０５）。
【０１１５】
以上の処理により、送電制御部２１５は、送電対象装置が挿入された収納ポケットを検知し、送電を開始する。また、非送電対象物を検知した場合は送電をおこなずエラーをユーザに通知する。これにより、ユーザの便利性、および、デジタルテレビ１の安全性と省電力性を高めることができる。
【０１１６】
次に、非接触電力送信装置１０の送電制御部２１５が、各収納ポケットに収納された３Ｄメガネに対して、充電完了の検出をするときの処理について説明する。
【０１１７】
この充電完了検出の処理は、非接触電力送信装置１０が電力を送電している間、数十秒毎など所定の時間間隔で実行する。
【０１１８】
先ず、送電制御部２１５は、送電管理テーブルの充電状態情報９０５を参照し、充電状態情報９０５が充電中を示す値“１”のものを充電確認候補対象とし、確認候補の対象となる収納ポケットの一覧情報を取得する（Ｓ５０１）。送電制御部２１５は、充電確認候補対象の収納ポケットに対して、Ｓ５０２以下の処理が示すように一つずつ充電確認処理を実行する。
【０１１９】
送電制御部２１５は、充電確認候補対象から充電確認対象を一つ選択し、それが収納されている収納ポケットにだけ送電するようにスイッチ３０１を制御し、それ以外の充電中の収納ポケットへの送電を停止する（Ｓ５０２）。このように、充電の確認対象となる一つの収納ポケットにだけ送電するのは、他の非接触電力受信装置へ電磁気的な影響が出ることを避けるためである。
【０１２０】
そして、送電制御部２１５は、選択した充電確認対象が充電状態であるか否かを判定する（Ｓ５０３）。充電状態の判定処理については、図９を用いて後に詳述する。
【０１２１】
充電状態判定の結果（Ｓ５０４）、充電完了の場合には、Ｓ５０５の処理をおこない、充電中の場合には、Ｓ５０６の処理をおこない、充電異常を検知した場合には、Ｓ５０７の処理をおこなう。
【０１２２】
充電状態判定の結果、充電完了の場合には、送電制御部２１５は、該当収納ポケットでの充電が完了したことを示す送電管理テーブルを生成して更新保存する（Ｓ５０５）。すなわち、図５に示した送電管理テーブルに関して、該当収納ポケットに関して、送電状態９０４の値を送電していないことを示す値“０”に、充電所状態９０５の値を充電の完了を示す値”２“に更新する。
【０１２３】
充電状態判定の結果、充電中の場合には、送電制御部２１５は、該当収納ポケットの充電開始時間を参照し、現在時刻との差分から充電時間を算出する。そして、充電が完了すべき時間を示す基準充電完了時間と比較する（Ｓ５０６）。充電時間が基準充電完了時間より短い場合には、Ｓ５０９の処理をおこない、その他の場合には、Ｓ５０７の処理をおこなう。
【０１２４】
Ｓ５０４の充電状態判定の結果、充電中の場合で充電異常を検知した場合、あるいは、Ｓ５０６で充電時間が基準充電完了時間より短くない場合、送電の不具合や、受電側である３Ｄメガネ２の故障の可能性があるため、該当収納ポケットへの送電を停止する（Ｓ５０７）。そして、送電制御部２１５は、状態表示部２１７を制御し、ＬＥＤを点灯するなどして充電エラーが発生したことユーザに通知する。
【０１２５】
次に、送電制御部２１５は、該当収納ポケットで充電エラーが発生したことを示す送電管理テーブルを生成して更新保存する（Ｓ５０８）。すなわち、図５に示した送電管理テーブルに関して、該当収納ポケットに関して、送電状態９０４は、送電していないことを示す値“０”、充電所状態９０５は、充電エラーを示す値”３“に更新する。
【０１２６】
Ｓ５０１で取得した確認候補対象となる収納ポケットでの充電確認を、全て完了した場合には、Ｓ５１０へ行く（Ｓ５０９）。まだの場合には、次の確認対象に対してＳ５０２〜Ｓ５０８の処理を繰り返す。
【０１２７】
全ての確認候補対象となる収納ポケットでの充電確認を完了しときには、送電管理テーブルの充電状態情報９０５を参照し、充電状態情報９０５が充電中を示す値“１”の収納ポケットに対して送電を再開し、充電を続ける（Ｓ５１０）。
【０１２８】
次に、図９および図１０により、図８の充電確認対象が充電状態であるか否かを判定する処理について詳細に説明する。
【０１２９】
本実施形態では、充電状態検出部８１２を負荷変動復調回路で構成した場合を例に説明する。すなわち、３Ｄメガネ２の負荷変調部２５４は、充電回路部２５２が２次電池２５３に電力が供給されている間、所定の周期で負荷変調をかける。これにより、３Ｄメガネ２からデジタルテレビ１における負荷電力の量が変化するため、デジタルテレビ１の出力検出部２１３は、３Ｄメガネ２が充電中か、充電が終了したかを検出することができる。
【０１３０】
本処理では、充電状態検出部８１２の出力値を所定の周期で、所定の時間サンプリングして、３Ｄメガネ２の負荷変調周期を算出する。そして、算出した負荷変調周期Ｔが３Ｄメガネ２の負荷変調周期Ｔ０と同じ場合には、３Ｄメガネ２を充電中と判定し、サンプリングした充電状態検出部８１２の出力値の振幅の変動がなくなり（出力値が全てＨ（Ｈｉｇｈ）やＬ（Ｌｏｗ）になったとき）、負荷変調周期Ｔが振幅変動が無くなったことを示す値Ｔｑであったときには、充電完了であると判定する。３Ｄメガネ２の負荷変調周期Ｔ０は、出荷時などに予め送電制御部２１５に設定するものとする。
【０１３１】
先ず、送電制御部２１５は、充電状態検出部８１２から出力信号の値を取得し、保持する（Ｓ１２０１）。
【０１３２】
次に、送電制御部２１５は、充電状態検出部８１２から出力信号の値を取得を所定の計測時間Ｔｄの間実施したか、すなわち所定の回数、出力信号の値を取得したか否かを判定する（Ｓ１２０２）。所定の計測時間Ｔｄの間実施した場合には、Ｓ１２０４へ、実施していない場合は、Ｓ１２０３へ行く。所定の計測時間Ｔｄは、３Ｄメガネ２の負荷変調周期Ｔ０より長い時間に設定する。
【０１３３】
送電制御部２１５は、充電状態検出部８１２からの出力信号を、所定のサンプリング時間Ｔｓ毎に取得する（Ｓ１２０３）。サンプリング周期Ｔｓは、３Ｄメガネ２の負荷変調周期Ｔ０のサンプリング定理を満たす値、すなわち、サンプリング周期Ｔｓ≦負荷変調周期Ｔ０／２を満たす周期に設定する。送電制御部２１５は、サンプリング周期Ｔｓ分の時間が経過したときには、Ｓ１２０１に戻り充電状態検出部８１２から出力信号の値を取得する。
【０１３４】
サンプリング周期Ｔｓで所定の測定期間Ｔｄの間実施したら、取得した充電状態検出部８１２から出力信号の値から負荷変調周期Ｔを算出する（Ｓ１２０４）。図１０に示すように、サンプリング毎に出力値が”Ｈ”、”Ｌ”を交互に繰り返す場合は、負荷変調周期Ｔ＝サンプリング周期Ｔｓ×２となる。図１０では、サンプリング周期Ｔｓを負荷変調周期Ｔ０／２に設定している。よって、算出した負荷変調周期Ｔは３Ｄメガネ２の負荷変調周期Ｔ０と同じになる。一方、サンプリング期間中、出力値が全て“Ｈ”や“Ｌ”であった場合は振幅変動なしと判定し、負荷変調周期Ｔには振幅変動が無くなったことを示す値Ｔｑを設定する。Ｔｑの値は、例えば、測定期間Ｔｄより長い時間Ｔｄ×５などに設定する。
【０１３５】
そして、算出した負荷変調周期Ｔから充電状態を判定する（Ｓ１２０５）。負荷変調周期Ｔの値が振幅変動が無くなったことを示す値Ｔｑに等しい場合は充電完了と判断する（Ｓ１２０６）。負荷変調周期Ｔが３Ｄメガネ２の負荷変調周期Ｔ０に対して閾値範囲内の所定の周期であった場合、すなわち、｜負荷変調周期Ｔ−負荷変調周期Ｔ０｜＜周期閾値αであった場合は、充電中と判断する（Ｓ１２０８）。その他の場合は、３Ｄメガネ２かデジタルテレビ１の非接触電力送信部１０に不具合がある可能性があるため異常検知（Ｓ１２０９）と判断する。
【０１３６】
ここで、負荷変調周期Ｔを算出するために、出力検出部２１３が出力する電圧値の信号波形を示すと図１０のようになる。
【０１３７】
図中の縦軸は、出力検出部２１３の電圧の出力値、横軸は、時間を示す。波形１３０１は、充電状態検出部８１２からの出力信号を表すものである。破線で示したタイミングで送電制御部２１５は出力信号の値を取得する。Ｔｓは、送電制御部２１５は出力信号の値を取得するサンプリング周期で、Ｔｄは、測定期間を示す。Ｔは測定値から算出した負荷変調周期である。
【０１３８】
図１０では、サンプリング毎に出力値が”Ｈ”，”Ｌ”，”Ｈ”，”Ｌ”を交互に繰り返している。よって、負荷変調周期Ｔは、サンプリング周期Ｔｓ×２で求められる。仮に、”Ｈ”，”Ｈ”，”Ｌ”，”Ｌ”を繰り返していた場合は、半周期がサンプリング周期Ｔｓ×２になるので、負荷変調周期Ｔは、（サンプリング周期Ｔｓ×２）×２となる。
【０１３９】
以上の処理により、送電制御部２１５は、３Ｄメガネ２の充電完了を検知し、充電が完了した３Ｄメガネ２が挿入されている収納ポケットへの送電を停止するため、デジタルテレビ１の安全性と省電力性が高めることができる。
【０１４０】
なお、図１０では、充電状態検出部８１２を負荷変動復調回路で構成した場合を例に充電状態判定処理を説明したが、他の方式、例えば、反射量計測回路で構成してもよい。すなわち、この場合には、図７と同様のロジックにより、充電状態検出部８１２から、３Ｄメガネ２の非接触電力受信部２５０の入射電力量と、そこから返ってくる反射電力量の比である伝送率を計算し、伝送率が所定の基準値より大きいときには、その送信回路部２１４に対応する収納ポケットに挿入された３Ｄメガネ２の充電を続け、そうでないときには、充電を完了するように、送電制御部２１５が制御するようにする。
【０１４１】
次に、図１１により、本実施形態における収納ポケットからの装置の取出しを検出する処理について説明する。
【０１４２】
先ず、収納検知部２１６は、収納ポケットからの物体の取出しを検知すると（Ｓ６０１）、取出し検知信号を送電制御部２１５へ出力する。送電制御部２１５は、取出し検知信号の受信を待ち、取出し検知信号を受信するとＳ６０２の処理に行く。
【０１４３】
次に、送電制御部２１５は、該当する収納ポケットの送電管理テーブルの送電状態９０５の情報を参照し、送電中“１”の場合は、スイッチＮｏ９０２の情報から取得した値に該当するスイッチをオフする制御信号を生成し、スイッチ制御信号端子３１３へ出力する。これにより、該当する収納ポケットで送電をおこなう励振素子への給電が停止される（Ｓ６０２）。
【０１４４】
該当する収納ポケットで送電を停止した送電制御部２１５は、状態表示部２１７を制御し、該当する収納ポケットでの送電を示すＬＥＤを消灯する（Ｓ６０３）。
【０１４５】
送電制御部２１５は、該当収納ポケットから物体が取り出されたことを示す送電管理テーブルを生成して更新保存する（Ｓ６０４）。物体が取り出された場合には、送電管理テーブルは初期状態に戻す。すなわち、該当収納ポケットに関して、収納状態９０３は、空を示す値“０”、送電状態９０４は、送電していないことを示す値“０”、充電所状態９０５は、停止を示す値”０“、送電開始時間９０６は、０クリアして更新する。
【０１４６】
以上の処理により、送電制御部２１５は、収納ポケットからの装置の取出しを検知し、送電中の場合は、該当収納ポケットへの送電を停止する。これにより、収納ポケットが空の状態で送電することを防げるため、デジタルテレビ１の安全性と省電力性を高めることができる。
【０１４７】
次に、図１２により、非接触電力送信部１０における異常温度を検出するときの処理について説明する。
【０１４８】
ここで、非接触電力送信部１０の温度検出部８１１は、増幅回路部２１２の温度を監視し、正常な温度か、高温状態の異常温度かを検出し送電制御部２１５に出力するものである。
【０１４９】
先ず、温度検出部８１１は、増幅回路部２１２の温度を監視し、高温状態の異常温度を検知すると送電制御部２１５へ異常高温検知信号を出力する（Ｓ１４０１）。送電制御部２１５は、異常高温検知信号の受信を待ち、異常高温検知信号を受信すると、Ｓ１４０２の処理をおこなう。
【０１５０】
異常高温検知信号を受信すると、送電制御部２１５は、送信回路部２１４からの全送電を停止するため、スイッチ部３０１のスイッチ制御信号端子３１３へ全てのスイッチ（３０１ａ〜３０１ｄ）をオフする制御信号を生成し出力する（Ｓ１４０２）。これにより、全ての収納ポケットで送電をおこなう励振素子への給電が停止される。
【０１５１】
次に、送電制御部２１５は、異常高温を検視したことをユーザに通知するため、ＬＥＤで異常を表示したり、警告音などを出力する（Ｓ１４０３）。
【０１５２】
そして、送電制御部２１５は、異常発熱を示す管理情報を生成して更新保存する（Ｓ１４０４）。異常発熱を示す管理情報は、図５で説明した収納ポケット毎の送電管理テーブルとは別に、非接触電力送信部１０全体の情報である非接触電力送信部管理テーブルとして保持される。図示しなかったが、非接触電力送信部管理テーブルには、非接触電力送信部１０全体に関わる異常状態の情報とその発生時刻の情報を保持する。異常状態とは「異常発熱」や、何らかの原因で送信回路で電力送信が不能になったことを示す「送信不能」などがある。図５に示した送電管理テーブルと接触電力送信部管理テーブルを保持することにより、異常発生時にどの収納ポケットから送信していたかなどの状態を取得でき、異常原因を特定しやすくなる。
【０１５３】
以上のように、異常高温を検知した場合は、すべての収納ポケットへの送電を停止する。これにより、デジタルテレビ１の使用時の安全性を高めることかできる。
【０１５４】
以上の様に本実施形態では、デジタルテレビ１の制御だけで、送電対象装置である３Ｄメガネか否かの判定、充電完了の判定、送電対象装置の取出しの判定を実現する。これにより、電力を受信する側の非接触電力受信装置（３Ｄメガネ）に通信部や制御部を必要としない非接触電力送信装置（デジタルテレビ）、非接触電力受信装置、および、非接触電力伝送システムを提供することができる。そのため、非接触電力受信装置の小型化、軽量化、ひいては、低価格化に資することができるという効果がある。
【０１５５】
〔実施形態２〕
以下、図１３を用いて本発明の第二の実施形態に係る非接触電力伝送システムについて説明する。
図１３は、第二の実施形態において、充電状態の判定処理を示すフローチャートである。
【０１５６】
本実施形態の非接触電力送信システムでも、非接触電力送信装置としては、３Ｄコンテンツを表示可能なデジタルテレビ、非接触電力受信装置としては、３Ｄメガネからなることは、第一の実施形態と同様である。
【０１５７】
第一の実施形態では、図６のＳ４０３において、図７に示されるように、送電対象か否かを判定するために、送電対象検出部８１３を反射量計測回路で構成して、送電対象検出部８１３から入射電力量と反射電力量の比である伝送率により、送電対象装置の判定をおこなう例について説明した。
【０１５８】
本実施形態では、送電対象検出部８１３を負荷変動復調回路で構成し、３Ｄメガネ２の負荷変調部２５４は、充電回路部２５２が２次電池２５３に電力が供給されている間、所定の周期で負荷変調をかけて、各々の周期を比較することにより、送電対象か否かを判定するものである。
【０１５９】
原理は、第一の実施形態で、充電確認対象が充電状態であるか否かを判定した処理と同様である。また、以下の説明における図１０は、送電対象検出部８１３からの出力値と読み変えるものとする。
【０１６０】
ここでも、３Ｄメガネ２の負荷変調部２５４の変調周期をＴ０、送電対象検出部８１３の算出された変調周期をＴ、サンプリング周期をＴｓ、所定の計測時間をＴｄとし、負荷変調部２５４の変調周期をＴ０、サンプリング周期をＴｓ、所定の計測時間をＴｄは、予め与えていくものとする。
【０１６１】
このときに、第一の実施形態の図６のＳ４０３での送電対象か否かを判定する処理は、以下に示されるようになる。
【０１６２】
先ず、送電制御部２１５は、送電対象検出部８１３から出力信号の値を取得し、保持する（Ｓ２２０１）。
【０１６３】
次に、送電制御部２１５は、送電対象検出部８１３から出力信号の値を取得を所定の計測時間Ｔｄの間実施したか、すなわち所定の回数、出力信号の値を取得したか否かを判定する（Ｓ２２０２）。所定の計測時間Ｔｄの間実施した場合には、Ｓ２２０４へ、実施していない場合は、Ｓ２２０３へ行く。所定の計測時間Ｔｄは、３Ｄメガネ２の負荷変調周期Ｔ０より長い時間に設定する。
【０１６４】
送電制御部２１５は、送電対象検出部８１３からの出力信号を、所定のサンプリング時間Ｔｓ毎に取得する（Ｓ２２０３）。サンプリング周期Ｔｓは、３Ｄメガネ２の負荷変調周期Ｔ０のサンプリング定理を満たす値、すなわち、サンプリング周期Ｔｓ≦負荷変調周期Ｔ０／２を満たす周期に設定する。送電制御部２１５は、サンプリング周期ＴｓしたらＳ２２０１に戻り送電対象検出部８１３から出力信号の値を取得する。
【０１６５】
サンプリング周期Ｔｓで所定の測定期間Ｔｄの間実施したら、取得した充電状態検出部８１２から出力信号の値から負荷変調周期Ｔを算出する（Ｓ２２０４）。図１０に示すように、サンプリング毎に出力値が”Ｈ”、”Ｌ”を交互に繰り返す場合は、負荷変調周期Ｔ＝サンプリング周期Ｔｓ×２となる。図１０では、サンプリング周期Ｔｓを負荷変調周期Ｔ０／２に設定している。よって、算出した負荷変調周期Ｔは３Ｄメガネ２の負荷変調周期Ｔ０と同じになる。一方、サンプリング期間中、出力値が全て“Ｈ”や“Ｌ”であった場合は振幅変動なしと判定し、負荷変調周期Ｔには振幅変動が無くなったことを示す値Ｔｑを設定する。Ｔｑの値は、例えば、測定期間Ｔｄより長い時間Ｔｄ×５などに設定する。
【０１６６】
そして、算出した負荷変調周期Ｔから送電対象か否かを判定する（Ｓ２２０５）。  負荷変調周期Ｔの値が振幅変動が無くなったことを示す値Ｔｑに等しい場合は送電対象か、充電が完了した送電対象装置であると判断する（Ｓ２２０６）。負荷変調周期Ｔが３Ｄメガネ２の負荷変調周期Ｔ０に対して閾値範囲内の所定の周期であった場合、すなわち、｜負荷変調周期Ｔ−負荷変調周期Ｔ０｜＜周期閾値αであった場合は、送電対象であると判断する（Ｓ２２０８）。その他の場合は、やはり、送電対象ではないか、３Ｄメガネ２かデジタルテレビ１の非接触電力送信部１０に不具合がある可能性があるため異常検知（Ｓ２２０９）と判断する。
【０１６７】
〔実施形態３〕
以下、図１４ないし図１５を用いて本発明の第三の実施形態に係る非接触電力伝送システムについて説明する。
【０１６８】
本実施形態の非接触電力送信システムでも、非接触電力送信装置としては、３Ｄコンテンツを表示可能なデジタルテレビ、非接触電力受信装置としては、３Ｄメガネからなることは、第一の実施形態と同様であり、非接触電力送信の手段もその構成もほぼ同様である。
【０１６９】
本実施形態では、第一の実施形態と異なる所を重点的に説明する。
【０１７０】
本実施形態は、非接触電力受信装置である３Ｄメガネへの送電（充電）状態を、デジタルテレビ１の映像信号受信・再生部２２０を用いて表示するものである。
【０１７１】
先ず、図１４を用いて本発明の第一の実施形態に係る非接触電力伝送システムの構成について説明する。
図１４は、本発明の第三の実施形態に係る非接触電力伝送システムの各部の構成を示すブロック図である。
【０１７２】
図１４に示されるように、本実施形態の非接触電力送信部１０では、デジタルテレビ１において、映像信号受信・再生部２２０の制御部２２９と非接触電力送信部１０の送電制御部２１５を通信Ｉ／Ｆ１０１０を介して接続する。
【０１７３】
制御部２２９は、充電状態をユーザに提示するアプリケーションソフトウェアを実行し、充電状態を知らせる画面を生成し、映像表示部２２７に表示してユーザに提供する。
【０１７４】
充電状態を示す充電状態情報は、送電管理テーブルの収納ポケットＮｏ、収納状態、充電状態などで構成する。送電制御部２１５は制御部２２９からの要求に応じて、あるいは、送電制御部２１５が状態の変化を検知した場合にイベントメッセージとして送出する。状態の変化とは、例えば、充電の完了を検知した場合や、非接触電力送信部１０の異常を検知した場合などがある。
【０１７５】
次に、図１５を用いて充電状態をユーザに表示するユーザインターフェースについて説明する。
図１５は、充電状態をユーザに表示する画面の例を示す図である。
【０１７６】
ここで、図１５（ａ）は、収納ポケットごとの状態を表示しており、図１５（ｂ）は、特定の収納ポケットの状態変化を通しており、図１５（ｃ）は、非接触電力送信部１０での異常の警告を表示する例である。
【０１７７】
ユーザのリモコン操作などによって充電状態の表示を要求された場合に、制御部２２９が送電制御部２１５に充電状態情報を要求し、その情報を用いて充電状態を提示する画面を生成して表示する。このとき、図１５（ａ）に示されるように、収納ポケット毎に充電の状態やエラーを示す情報を文章で表示する。
【０１７８】
また、送電制御部２１５は充電の完了を検知した場合や、充電エラーを検知した場合などにイベントメッセージで制御部２２９に通知する。制御部２２９は、受信したメッセージ内容に応じて、図１５（ｂ）に示す様なダイアログを生成してユーザに表示する。このようにすることで、ユーザが自主的に確認しなくても、充電の完了やエラーの発生を即時にユーザに知らせることができる。
【０１７９】
さらに、回復不可能な不具合を検知した場合も速やかに修理が必要であることなどを、図１５（ｃ）に示されるように、送電制御部２１５が異常高温を検知した場合のイベントメッセージに応じて表示するダイアログとして、ユーザに通知することができる。
【０１８０】
以上のように本実施形態では、第一の実施形態と同等の効果に加えて、収納ポケットでの充電状態を映像表示部２２７に表示してユーザに提示するため、より利便性の高いシステムを提供することができる。
【０１８１】
〔実施形態４〕
以下、図１６ないし図１７を用いて本発明の第四の実施形態に係る非接触電力伝送システムについて説明する。
【０１８２】
本実施形態の非接触電力送信システムでも、非接触電力送信装置としては、３Ｄコンテンツを表示可能なデジタルテレビ、非接触電力受信装置としては、３Ｄメガネからなることは、第一の実施形態、第三の実施形態と同様であり、映像信号受信・再生部２２０の制御部２２９と非接触電力送信部１０の送電制御部２１５を通信Ｉ／Ｆ１０１０を介して接続されていることは、第三の実施形態と同様である。
【０１８３】
本実施形態では、さらに、デジタルテレビ１の映像信号受信・再生部２２０が表示する映像の種類を検知して、３Ｄメガネへの充電状態を表示する映像信号受信・再生部２２０と、非接触電力送信部が連携処理をおこなうものである。
【０１８４】
本実施形態は、映像信号受信・再生部２２０が３Ｄの放送番組の受信を検知した場合、あるいは、外部入力端子２３８から入力された映像コンテンツが３Ｄコンテンツであることを検視した場合に、非接触電力受信装置３Ｄメガネの充電状態を表示するものである。
【０１８５】
先ず、図１６および図１７を用いて映像信号受信・再生部２２０の処理について説明する。
図１６は、３Ｄ映像の受信に応じて、表示部に３Ｄメガネの状態を表示する映像信号受信・再生部２２０の処理を示すフローチャートである。
図１７は、デジタルテレビの３Ｄ映像表示時に、３Ｄメガネの充電状態をユーザに提示する画面の一例を示す図である。
【０１８６】
先ず、映像信号受信・再生部２２０の制御部２３０は、デコード部２２４が受信する番組の変化や、入力信号の切換えなど監視し（Ｓ１５０１）、変化を検視したらＳ１５０２の処理をおこなう。
【０１８７】
そして、制御部２３０は、映像表示部２２７に表示している映像信号が３Ｄコンテンツであるか、そうでないかを判定する（Ｓ１５０２）。
【０１８８】
例えば、ＭＰＥＧ２−ＴＳの放送番組を表示している場合には、ＭＰＥＧ−２  Ｖｉｄｅｏピクチャレイヤのuser_dataに含まれる２Ｄ／３Ｄ映像の識別信号を利用する。user_dataはStereo_Video_Format_Signalingを有し、Ｓｔｅｒｅｏ_Video_Format_Signalingを構成する７ビットの情報、Stereo_Video_Format_Signaling_typeで２Ｄ映像か３Ｄ映像かを判断できる。Stereo_Video_Format_Signaling_typeの値が”0000011”の場合は３Ｄ映像（３Ｄ Ｓｙｄｅ−ｂｙ−Ｓｉｄｅ映像）で、値が”0001000”の場合は２Ｄ映像である。
【０１８９】
一方、外部入力Ｉ／Ｆ部２３９に入力された映像を表示している場合であって、外部入力Ｉ／Ｆ部２３９がＨＤＭＩ(High-Definition Multimedia Interface  （登録商標）)規格のＩ／Ｆであった場合は、映像、音声データを送信するＴＭＤＳを用いて不可情報を送信するＨＤＭＩベンダー情報フレーム（HDMI Vendor Specfic InfoFrame）として送信される。ＨＤＭＩベンダー情報フレームは、３ビットのHDMI_Video_Fomatというデータを持ちこの値で３Ｄ映像かその他の映像かを判断できる。値が”010”の場合は３Ｄ映像であることを示す。
【０１９０】
判定の結果（Ｓ１５０３）、３Ｄ映像と判断した場合には、Ｓ１５０４へ行き、そうでない場合は処理を終了する。
【０１９１】
３Ｄ映像と判断した場合には、制御部２３０は、通信Ｉ／Ｆ１０１０を介して非接触電力送信部１０の送電制御部２１５へ充電状態情報を要求する。充電状態情報は、送電管理テーブルの収納ポケットＮｏ、収納状態、充電状態などを含む情報である。送電制御部２１５は、保持している送電管理テーブル（図５）などの管理情報を用いて充電状態情報を生成して、制御部２３０に送信する。
【０１９２】
そして、制御部２３０が、充電状態情報を取得すると（Ｓ１５０５）、取得した情報を用いて３Ｄメガネの充電状態を知らせる画面を生成し表示する。例えば、図１７に示すように、３Ｄ映像を表示することを示すメッセージ１６０１と伴に、収納ポケット毎に３Ｄメガネの充電状態１６０２をユーザに提示する。充電状態１６０２は、△や◎などのアイコンで充電状態を表しているが、図１５（ａ）のように文字で表してもよい。アイコンで表示する場合は、一目で状態を認識しやすいという効果が期待できる。なお、メッセージ１６０３はアイコンの意味を説明するものである。
【０１９３】
このようにすることにより、ユーザは、３Ｄ映像の表示が始まるときや受信した映像が３Ｄ映像であった場合、あるいは、入力された映像が３Ｄであった場合に３Ｄメガネの充電状態を確認することができ、どの３Ｄメガネが使用可能状態にあるかを簡単に知ることができる。
【０１９４】
なお、本実施形態では、非接触電力受信装置が３Ｄメガネである場合を例に説明したが他の装置に適用した場合でもよい。デジタルテレビ１の映像信号受信・再生部２２０が非接触電力受信装置の使用する機能の実行を検知した際に、送電制御部２１５へ充電状態情報を要求し、充電状態を表示することにより、同等の効果が得られる。
【０１９５】
以上のように、本実施形態では、第一の実施形態と同等の効果に加えて、非接触電力受信装置（３Ｄメガネ）を使用するコンテンツを表示する際に、非接触電力受信装置の充電状態を映像表示部２２７に充電状態を表示してユーザに提示するため、より利便性の高いシステムを提供することができる。
【符号の説明】
【０１９６】
１…デジタルテレビ（非接触電力送信装置）
１，２，３，４…３Ｄメガネ（非接触電力受信装置）
１０…非接触電力送信部
１１，１２，１３，１４…収納ポケット
２０１…電源供給部
２０２…電源回路部
２１１…発振回路部
２１２…増幅回路部
２１３…出力検出部
２１４…送信回路部
２１５…送電制御部
２１６…収納検知部
２１７…状態表示部
２１８…給電対象検知部
２２０…映像信号受信・再生部
２２１…チューナ部
２２２…復調復号部
２２３…デマックス部
２２４…デコード部
２２５…音声出力部
２２６…合成部
２２７…映像表示部
２２８…ネットワーク接続部
２２９…操作Ｉ／Ｆ部
２３０…制御部
２３１…ＯＳＤ部
２３２…メモリ部
２３３…同期送信部
２３５…アンテナ接続端子
２３６…ネットワーク端子
２３７…操作機器信号受信部
２３８…外部入力端子
２３９…外部入力Ｉ／Ｆ部
２４０，２４１  スイッチ
２５０…非接触電力受信部
２５１…受信回路部
２５２…充電回路部
２５３…２次電池
２５４…負荷変調部
２６０…光学動作部
２６２…同期受信部
２６３…復調部
２６４…右レンズ部
２６５…左レンズ部
３０１…スイッチ部
３０２，３０３，３０４，３０５，３３２…励振素子
３０６，３０７，３０８，３０９，３３１…共鳴素子
３１１，３１２，３３３，３３４，８２１，８２２，８２３，８２４…接続端子
３１３…スイッチ制御信号端子
８１１…温度検出部
８１２…充電状態検出部
８１３…送電対象検出部
１０１０…通信Ｉ／Ｆ
【図１】
0005895449.tif 000002
【図２】
0005895449.tif 000003
【図３】
0005895449.tif 000004
【図４】
0005895449.tif 000005
【図５】
0005895449.tif 000006
【図６】
0005895449.tif 000007
【図７】
0005895449.tif 000008
【図８】
0005895449.tif 000009
【図９】
0005895449.tif 000010
【図１０】
0005895449.tif 000011
【図１１】
0005895449.tif 000012
【図１２】
0005895449.tif 000013
【図１３】
0005895449.tif 000014
【図１４】
0005895449.tif 000015
【図１５】
0005895449.tif 000016
【図１６】
0005895449.tif 000017
【図１７】
0005895449.tif 000018